(57)【要約】【課題】デジタルカメラ機又はデジタルカメラ機能付き携帯電話機に対して、各種付属機器を容易かつ適切に連結し得る付属機器連結機構を提供する。【解決手段】付属機器連結機構１０に、携帯電話機１の下側筐体４に取り付けられる基部１１と、付属機器（ファイバースコープ装置２０、望遠レンズ装置３０）が取り付けられる機器支持部１４とを備える。基部１１は、本体部１２と係合部１３を備え、機器支持部１４は、本体部１２に対して左右方向にスライド可能に取り付けられている。係合部１３は、本体部１２に対してレール１３Ａを介して取り付けられるとともに、携帯電話機１の下側筐体４の両側側面４Ｂに対して、スライド可能に係合する。機器支持部１４の開口部１４Ａの位置は、係合部１３を下側筐体４の側面４Ｂに沿って上下にスライドさせ、また機器支持部１４を本体部１２に対して左右にスライドさせることによって、デジタルカメラレンズの前方に配置されるように調整される。【選択図】図１
2009086513.tif 000002
【特許請求の範囲】
【請求項１】
デジタルカメラ機又はデジタルカメラ機能付き携帯電話機に対して付属機器を取り付けるための付属機器連結機構において、
前記デジタルカメラ機又はデジタルカメラ機能付き携帯電話機の筐体に対して第１の方向にスライド可能な基部と、
前記付属機器が取り付けられ得る機器支持部と
を備え、
前記機器支持部は、前記基部に対して前記第１の方向と非平行な第２の方向に移動可能であるようにした付属機器連結機構。
【請求項２】
前記基部は、前記筐体の両側面に対してそれぞれスライド可能に係合する一対の係合部を備えた請求項１に記載の付属機器連結機構。
【請求項３】
前記一対の係合部の間隔は変更可能である請求項２に記載の付属機器連結機構。
【請求項４】
前記係合部は、前記筐体と当接する箇所にクッション部材を備えた請求項２または請求項３に記載の付属機器連結機構。
【請求項５】
前記基部は、前記筐体に対して着脱自在である請求項２から請求項４のいずれか１つに記載の付属機器連結機構。
【請求項６】
前記機器支持部は、前記筐体のレンズ部分前方に配置され得る請求項２から請求項５のいずれか１つに記載の付属機器連結機構。
【請求項７】
前記付属機器は、前記機器支持部に着脱自在に取り付けられ得る請求項１から請求項６のいずれか１つに記載の付属機器連結機構。
【請求項８】
前記付属機器は、前記機器支持部に固定されている請求項１から請求項６のいずれか１つに記載の付属機器連結機構。
【請求項９】
前記付属機器は、ファイバースコープ装置である請求項１から請求項８のいずれか１つに記載の付属機器連結機構。
【請求項１０】
前記付属機器は、望遠レンズ装置である請求項１から請求項８のいずれか１つに記載の付属機器連結機構。
【請求項１１】
前記望遠レンズ装置は、前記機器支持部に対して一端において回動可能に取り付けられ得るレンズホルダーと、前記レンズホルダーの前記一端に回動可能に取り付けられた接眼レンズ部と、前記レンズホルダーの他端に回動可能に取り付けられた対物レンズ部とを備えた請求項１０に記載の付属機器連結機構。
【請求項１２】
前記レンズホルダーは、前記筐体表面に沿って配置される収納位置と、前記筐体表面に対して略垂直に配置される望遠撮影位置と、前記望遠撮影位置よりも前記収納位置の反対側に回転した通常撮影位置とを取り得る請求項１１に記載の付属機器連結機構。
【請求項１３】
前記接眼レンズ部と前記対物レンズ部は、前記レンズホルダーが前記収納位置又は前記通常撮影位置にあるときには、前記レンズホルダーと重ねて配置され、前記レンズホルダーが前記望遠撮影位置にあるときには、前記レンズホルダーに対して略垂直に配置される請求項１２に記載の付属機器連結機構。
【請求項１４】
前記基部は、前記筐体の一方の側面に当接可能な第１の係合部を有する固定部材と、前記筐体の他方の側面に当接可能な第２の係合部を有し且つ前記固定部材に対してスライド可能なスライド部材とから構成され、前記第１と第２の係合部が前記筐体を両側から挟み込むことにより前記筐体に対して取り付け可能となっている請求項１に記載の付属機器連結機構。
【請求項１５】
前記固定部材に、開口部と、前記開口部の上下両側に配置された一対のレール部とを備え、前記機器支持部は、前記一対のレール部に対してスライド可能に取り付けられるようにした請求項１４に記載の付属機器連結機構。
【請求項１６】
前記固定部材にネジ部を設けるとともに、前記ネジ部に螺合するリング部材を備え、前記リング部材を前記ネジ部にねじ込むことにより、前記スライド部材を前記固定部材に対してスライドさせることができるようにした請求項１４または請求項１５に記載の付属機器連結機構。
【発明の詳細な説明】
【技術分野】
【０００１】
本発明は、デジタルカメラ機又はデジタルカメラ機能付き携帯電話機に各種付属機器（例えば、望遠レンズ装置やファイバースコープ装置）を連結するための連結機構に関する。
【背景技術】
【０００２】
近年、携帯電話機には、デジタルカメラ機能が一体に備えられるようになってきている。このようなデジタルカメラ機能付き携帯電話機で、遠方の対象を撮影する場合には、デジタルカメラの望遠機能を使うことになる。
【０００３】
【特許文献１】特開２００５−９９４７３号公報    特開２００２−３７４４５０号公報
【発明の開示】
【発明が解決しようとする課題】
【０００４】
しかしながら、携帯電話機に備えられたデジタルカメラは望遠倍率が低いので、より遠くの対象を撮影するには十分ではない。また、逆に、小さな対象を拡大して撮影することもできない。このような問題を解決するためには、デジタルカメラ機能付き携帯電話機に、望遠レンズ装置やファイバースコープ装置等の付属装置を組み合わせて用いることが考えられるが、デジタルカメラ機能付き携帯電話機は、その大きさやレンズの位置が様々であるため、携帯電話機に対して付属装置を適切に組み合わせるのは容易でない。
【０００５】
本発明は、このような問題点に着目してなされたもので、デジタルカメラ機又はデジタルカメラ機能付き携帯電話機に対して、各種付属機器（例えば、望遠レンズ装置やファイバースコープ装置）を容易かつ適切に連結し得る付属機器連結機構を提供することを目的とする。
【課題を解決するための手段】
【０００６】
本発明では、デジタルカメラ機又はデジタルカメラ機能付き携帯電話機に対して付属機器を取り付けるための付属機器連結機構において、前記デジタルカメラ機又はデジタルカメラ機能付き携帯電話機の筐体に対して第１の方向にスライド可能な基部と、前記付属機器が取り付けられ得る機器支持部とを備え、前記機器支持部は、前記基部に対して前記第１の方向と非平行な第２の方向に移動可能であるようにした。
【０００７】
前記基部は、前記筐体の両側面に対してそれぞれスライド可能に係合する一対の係合部を備えてもよい。
前記一対の係合部の間隔は変更可能であってもよい。
【０００８】
前記係合部は、前記筐体と当接する箇所にクッション部材を備えてもよい。
前記基部は、前記筐体に対して着脱自在であってもよい。
前記機器支持部は、前記筐体のレンズ部分前方に配置され得るようにしてもよい。
【０００９】
前記付属機器は、前記機器支持部に着脱自在に取り付けられ得るようにしてもよい。
前記付属機器は、前記機器支持部に固定されていてもよい。
前記付属機器は、ファイバースコープ装置であってもよい。
【００１０】
前記付属機器は、望遠レンズ装置であってもよい。
前記望遠レンズ装置は、前記機器支持部に対して一端において回動可能に取り付けられ得るレンズホルダーと、前記レンズホルダーの前記一端に回動可能に取り付けられた接眼レンズ部と、前記レンズホルダーの他端に回動可能に取り付けられた対物レンズ部とを備えてもよい。
【００１１】
前記レンズホルダーは、前記筐体表面に沿って配置される収納位置と、前記筐体表面に対して略垂直に配置される望遠撮影位置と、前記望遠撮影位置よりも前記収納位置の反対側に回転した通常撮影位置とを取り得るようにしてもよい。
【００１２】
前記接眼レンズ部と前記対物レンズ部は、前記レンズホルダーが前記収納位置又は前記通常撮影位置にあるときには、前記レンズホルダーと重ねて配置され、前記レンズホルダーが前記望遠撮影位置にあるときには、前記レンズホルダーに対して略垂直に配置されるようにしてもよい。
【００１３】
前記基部は、前記筐体の一方の側面に当接可能な第１の係合部を有する固定部材と、前記筐体の他方の側面に当接可能な第２の係合部を有し且つ前記固定部材に対してスライド可能なスライド部材とから構成され、前記第１と第２の係合部が前記筐体を両側から挟み込むことにより前記筐体に対して取り付け可能となっていてもよい。
【００１４】
前記固定部材に、開口部と、前記開口部の上下両側に配置された一対のレール部とを備え、前記機器支持部は、前記一対のレール部に対してスライド可能に取り付けられるようにしてもよい。
【００１５】
前記固定部材にネジ部を設けるとともに、前記ネジ部に螺合するリング部材を備え、前記リング部材を前記ネジ部にねじ込むことにより、前記スライド部材を前記固定部材に対してスライドさせることができるようにしてもよい。
【発明の効果】
【００１６】
本発明では、付属機器連結機構の基部（例えば、基部１１、固定部材４１及びスライド部材４３）を、デジタルカメラ機又はデジタルカメラ機能付き携帯電話機（例えば、携帯電話機１）の筐体（例えば、下側筐体４）に対して第１の方向（例えば、上下方向）にスライド可能とする一方、付属機器（例えば、望遠レンズ装置３０、ファイバースコープ装置２０、望遠レンズ５０）が取り付けられる機器支持部（例えば、機器支持部１４、機器支持部４２）を、基部に対して第１の方向とは平行でない第２の方向（例えば、左右方向）に移動可能としたので、機器支持部及び付属機器の位置は、筐体に対して２次元で調整することができる。したがって、付属機器は、筐体のレンズ部分（デジタルカメラレンズ）に対して適切な位置に容易に配置することができるので、付属機器のデジタルカメラ機又はデジタルカメラ機能付き携帯電話機に対する適切な取り付けを容易に行うことができる。
【００１７】
また、基部に、筐体の両側面（例えば、側面４Ｂ）に係合する一対の係合部（例えば、係合部１３、係合部４６及び係合部４３Ａ）を備え、この一対の係合部の間隔を変更可能とすれば、異なる大きさ（幅）の筐体に対しても、同一の付属機器連結機構を使用することができる。
【００１８】
また、付属機器である望遠レンズ装置（例えば、望遠レンズ装置３０）を、機器支持部に対して一端において回動可能に取り付けられ得るレンズホルダー（例えば、レンズホルダー３１）と、レンズホルダーの一端に回動可能に取り付けられた接眼レンズ部（例えば、接眼レンズ部３２）と、レンズホルダーの他端に回動可能に取り付けられた対物レンズ部（例えば、対物レンズ部３３）とから構成すれば、デジタルカメラの非使用時には、レンズホルダーを収納位置とすることにより、望遠レンズ装置をコンパクトに収納し得る一方、デジタルカメラの使用時には、望遠レンズ装置の使用と非使用に応じてレンズホルダーを望遠撮影位置と通常撮影位置に配置することにより、デジタルカメラによる適切な撮影を容易に行うことができる。
【００１９】
また、基部を、第１の係合部（例えば係合部４６）を有する固定部材（例えば固定部材４１）と第２の係合部（例えば係合部４３Ａ）を有するスライド部材（例えばスライド部材４３）とから構成し、スライド部材を固定部材に対してスライド可能とすれば、固定部材の第１の係合部を筐体の一方の側面に当接させておいて、スライド部材を固定部材に対して、第２の係合部が筐体の他方の側面に当接するまでスライドさせることにより、第１と第２の係合部の間隔を第１と第２の係合部により筐体が適切に挟持されるように調整できるので、携帯電話機の筐体に対する付属機器連結機構の取り付けを容易に行い得る。特に、固定部材に設けたネジ部（例えばネジ部４５Ｆ）に対するリング部材（例えばリング部材４４）のねじ込みによってスライド部材がスライドさせられるようにすれば、携帯電話機の筐体に対する付属機器連結機構の取り付け（第１と第２の係合部の間隔の調整）は、極めて容易に行い得る。
【発明を実施するための最良の形態】
【００２０】
以下、添付図面を参照して本発明の各実施形態を説明する。
図１には、デジタルカメラ機能付き携帯電話機１に、本発明の実施形態の付属機器連結機構１０を装着した状態を示す。図示されるように、携帯電話機１は、ヒンジ部２を介して連結された上側筐体３と下側筐体４とを備えている。下側筐体４は、縦長で薄厚の略直方体形状を有し、その正面４Ａの所定位置（本実施形態では上端部付近）に、デジタルカメラレンズ（図示せず）が備えられている。付属機器連結機構１０は、デジタルカメラのレンズの前方に位置するように、下側筐体４の正面４Ａに取り付けられる。
【００２１】
図２にも示すように、付属機器連結機構１０は、携帯電話機１の下側筐体４に取り付け可能な基部１１を備えている。基部１１は、板状の本体部１２と、本体部の両側に備えられた一対の係合部１３とから構成される。本体部１２は、下側筐体４の正面４Ａよりもやや幅の狭い略長方形の板部材であり、下側筐体４の正面４Ａに沿って配置され得るようになっている。
各係合部１３は、レール１３Ａを備え、このレール１３Ａが本体部１２の側部に形成された嵌合穴に摺動可能に挿入されることにより、本体部１２に対して取り付けられている。これにより、係合部１３は、レール１３Ａの長手方向に沿って、本体部１２に対して左右方向に移動可能となっている。
左右の係合部１３は、下側筐体４の左右側面４Ｂに沿って配置され得るように、本体部１２に対して垂直方向に延在している。本実施形態では、係合部１３は、下側筐体４に対して着脱自在である。付属機器連結機構１０を携帯電話機１に取り付けるときには、まず左右の係合部１３の間隔を十分に（携帯電話機１の下側筐体４の幅よりも広く）拡げた状態から、左右の係合部１３を、下側筐体４の左右側面４Ｂに当接するまで本体部１２側に引き寄せ、両側の係合部１３間の間隔を下側筐体４の幅に一致させればよい。
基部１１の本体部１２の正面には、基部１１に沿って配置された板状の機器支持部１４が、左右方向にスライド可能に取り付けられている。機器支持部１４は、付属機器が着脱自在に連結される部分であり、デジタルカメラレンズの前方に配置される開口部１４Ａと、開口部１４Ａの周囲に形成された保持部１４Ｂとを備えている。例えば、図３に示すファイバースコープ装置２０の場合、基端の装着部２１が開口部１４Ａに嵌合され、保持部１４Ｂによって保持されるようになっている。
【００２２】
このような構成により、付属機器連結機構１０の機器支持部１４（開口部１４Ａ）の位置は、携帯電話機１のデジタルカメラレンズの前方に正しく配置されるように、容易に調整しうる。すなわち、機器支持部１４の左右の位置は、機器支持部１４を基部１１の本体部１２に対して左右にスライドさせることにより容易に調整できる。また、機器支持部１４の上下の位置は、基部１１の係合部１３を下側筐体４の側面４Ｂに沿ってスライドさせることにより容易に調整することができる。
【００２３】
図４及び図５には、付属機器連結機構１０を介して携帯電話機１に連結される付属機器の他の例として、望遠レンズ装置３０を示す。図示されるように、望遠レンズ装置３０は、レンズホルダー３１と、レンズホルダー３１の基端に回動自在に連結された接眼レンズ部３２と、レンズホルダー３１の先端に回動自在に連結された対物レンズ部３３と、接眼レンズ部３２の周囲に配置された取り付け枠部３４から構成される。レンズホルダー３１は、略長方形の板状の本体部３１Ａと、本体部３１Ａの左右両側から略垂直方向に延び出す保持部３１Ｂとを備えている。
【００２４】
接眼レンズ部３２は、その略中央部に接眼レンズ３２Ａが嵌め込まれた板状の部材であり、レンズホルダー３１の基端部付近において、保持部３１Ｂの間に回動自在に支持されている。また、対物レンズ部３３は、その略中央部に対物レンズ３３Ａが嵌め込まれた板状の部材であり、レンズホルダー３１の先端部付近において、保持部３１Ｂの間に回動自在に支持されている。
【００２５】
取り付け枠部３４は、接眼レンズ部３２の周囲に設けられた枠型の部材であり、接眼レンズ部３２と共通の回動軸上で、保持部３１Ｂの間に回動自在に支持されるとともに、付属機器連結機構１０の機器支持部１４に取り付けられている。
【００２６】
図６から図８には、望遠レンズ装置３０を、付属機器連結機構１０を介して、携帯電話機１に連結した状態を示す。携帯電話機１のデジタルカメラを使用していないときには、望遠レンズ装置３０は、図６に示すような収納位置にある。収納位置において、望遠レンズ装置３０の接眼レンズ部３２、対物レンズ部３３及び取り付け枠部３４は、レンズホルダー３１の本体部３１Ａと重ねて配置され、レンズホルダー３１の保持部３１Ｂの間に収容された状態となっている（図５に示す状態）。これにより、望遠レンズ装置３０のレンズホルダー３１は、下側筐体４の正面４Ａに重ねて配置されるので、携帯電話機１の使用（例えば通話での使用）の邪魔にならないようにできる。また、レンズホルダー３１は、デジタルカメラレンズの前方（付属機器連結機構１０の開口部１４Ａ）を覆うように配置されるので、デジタルカメラレンズの保護にもなる。
【００２７】
デジタルカメラにより通常の撮影を行うときには、望遠レンズ装置３０は、図７に示すような通常撮影位置におかれる。通常撮影位置においては、接眼レンズ部３２及び対物レンズ部３３をレンズホルダー３１の本体部３１Ａと重ねた状態のままで、レンズホルダー３１を、収納位置から、取り付け枠部３４に対して１８０度回転させる。これにより、デジタルカメラレンズの前方は開口部１４Ａを通して開放された状態となるので、デジタルカメラによる通常撮影を行える。
【００２８】
デジタルカメラにより望遠撮影を行うときには、望遠レンズ装置３０は、図８に示すような望遠撮影位置におかれる。望遠撮影位置においては、接眼レンズ部３２は、取り付け枠部３４内に配置され、デジタルカメラレンズの前方（開口部１４Ａの前方）に、下側筐体４の正面４Ａと略平行な状態で配置されている。一方、レンズホルダー３１は、接眼レンズ部３２に対して略垂直に配置され、下側筐体４の正面４Ａから前方に延在した状態とされる。そして、対物レンズ部３３は、レンズホルダー３１に対して略垂直に配置されることにより、接眼レンズ部３２の前方で、接眼レンズ部３２と略平行に配置される。これにより、接眼レンズ３２Ａと対物レンズ３３Ａは、デジタルカメラレンズの前方に正しく位置し、接眼レンズ３２Ａ及び対物レンズ３３Ａを用いた望遠撮影を行うことができる。
【００２９】
図９、図１０には、デジタルカメラ機能付き携帯電話機１に、本発明の他の実施形態の付属機器連結機構４０を用いて望遠レンズ５０を装着した状態を示す。また、図１１、図１２には、付属機器連結機構４０を単独で、図１３には、望遠レンズ５０が取り付けられた状態の付属機器連結機構４０をそれぞれ示す。さらに、図１４には、付属機器連結機構４０の分解斜視図を示す。
【００３０】
図示されるように、付属機器連結機構４０は、固定部材４１と、機器支持部４２と、スライド部材４３と、リング部材４４とから構成される（特に、図１４参照）。固定部材４１とスライド部材４３の組み合わせが、付属機器連結機構４０の基部を構成する。
【００３１】
固定部材４１は、長方形の板部材である本体部４５と、本体部４５の一側辺から直角に延び出す板部材である係合部４６とを備えている。本体部４５は、携帯電話機１の下側筐体４の正面４Ａに沿って配置される部分であり、その略中央にデジタルカメラのレンズの前方に配置される開口部４５Ａが形成されている。
【００３２】
一方、係合部４６は、携帯電話機１の下側筐体４の側面４Ｂに当接して配置される部分であり、詳しくは後述するように、この固定部材４１の係合部４６とスライド部材４３の係合部４３Ａが下側筐体４を左右から挟み込むことにより、付属機器連結機構４０の基部（固定部材４１及びスライド部材４３）が下側筐体４に対して固定されるようになっている。なお、係合部４６の内側面（付属機器連結機構４０が携帯電話１の下側筐体４に取り付けられたときに、下側筐体４側を向く面）に、クッション部材４６Ａが備えられる。これにより、携帯電話機１の下側筐体４が傷つかないように保護されるとともに、係合部４３Ａと下側筐体４間のグリップ力が高められるようになっている。
【００３３】
本体部４５の上下には、上下両辺に沿って延びるレール部４５Ｂ、４５Ｃが備えられる。詳しくは後述するように、機器支持部４２は、これらのレール部４５Ｂ、４５Ｃに対してスライド可能に取り付けられる。
【００３４】
レール部４５Ｂ、４５Ｃは、係合部４６と反対側の端部において、本体部４５の側辺を越えて延び出しており、延長レール部４５Ｄ、４５Ｅを形成している。詳しくは後述するように、スライド部材４３は、これらの延長レール部４５Ｄ、４５Ｅに対して、スライド可能に取り付けられる。
【００３５】
本体部４５の係合部４６と反対側の端部からは、ネジ部４５Ｆが延び出しており、延長レール部４５Ｄ、４５Ｅの間に配置されている。ネジ部４５Ｆは、円の一部を切り取った形状の断面を有するもので、その湾曲した側面にネジ溝が形成されている。
機器支持部４２は、略長方形の板部材である本体部４２Ａと、本体の上下両辺の全域にわたって設けられたレール嵌合部４２Ｂ、４２Ｃとからなる。レール嵌合部４２Ｂ、４２Ｃは、それぞれ固定部材４１のレール部４５Ｂ、４５Ｃ内に摺動可能に嵌合する。これにより、機器支持部４２は、固定部材４１に対して、レール部４５Ｂ、４５Ｃに沿って左右方向にスライド可能に取り付けられるようになっている。
また、本体部４２Ａの略中央部には、機器装着用穴４２Ｄが形成されており、この機器装着用穴４２Ｄに、例えば望遠レンズ５０等の各種付属機器が取り付けられるようになっている。機器装着用穴４２Ｄの内周には、係合用のスリット４２Ｅが形成されており、このスリット４２Ｅに、望遠レンズ５０に設けられた係合凸部（図示せず）が係合することにより、望遠レンズ５０が機器支持部４２に対して固定される。
【００３６】
スライド部材４３は、板状の係合部４３Ａと、スライド部材４３の上端両側から係合部４３に対して垂直に延び出すレール嵌合部４３Ｂ、４３Ｃとを備えている。係合部４３Ａは、携帯電話機１の下側筐体４の側面４Ｂに係合する部分で、その内側面（付属機器連結機構４０が携帯電話１の下側筐体４に取り付けられたときに、下側筐体４側を向く面）に、クッション部材４３Ｆを備えている。このクッション部材４３Ｆの存在により、携帯電話機１の下側筐体４が傷つかないように保護されるとともに、係合部４３Ａと下側筐体４間のグリップ力が高められるようになっている。
【００３７】
レール嵌合部４３Ｂ、４３Ｃは、固定部材４１の延長レール部４５Ｄ、４５Ｅに対して摺動可能に嵌合する。これにより、スライド部材４３が固定部材４１に対してスライド可能に取り付けられるようになっている。
【００３８】
係合部４３Ａの上端は、レール嵌合部４３Ｂ、４３Ｃが延長レール部４５Ｄ、４５Ｅに対して嵌合したときに、固定部材４１のネジ部４５Ｆが載置される載置部４３Ｄとなっている。また、スライド部材４３の正面には、載置部４３Ｄの下方に位置するように、リング嵌合部４３Ｅが突設されている。固定部材４１のネジ部４５Ｆが載置部４３Ｄに載置されたときのネジ部４５Ｆとリング嵌合部４３Ｅを組み合わせた外径は、ちょうどリング部材４４の内径に嵌合する大きさとなっている。
【００３９】
リング部材４４は、スライド部材４３の位置を調節するときに使用者により回転操作される部材であり、その内周面にはネジ溝４４Ａが、その外周面には多数の突起部４４Ｂが、それぞれ形成されている。これにより、使用者は、リング部材４４を、ネジ部４５Ｆ及びリング嵌合部４３Ｅの外周に嵌め込んで、ネジ部４５Ｆ外周のネジに対してねじ込んでいくことにより、スライド部材４３を、反対側の係合部４６に近づく方向に押し込んでいくことができるようになっている。
【００４０】
このような構成により、付属機器連結機構４０を携帯電話機１に取り付けるときには、固定部材４１の係合部４６とスライド部材４３との間隔が携帯電話機１の下側筐体４の幅より広くなるように、固定部材４１に対するスライド部材４３の位置を調節しておいてから、固定部材４１の本体部４５が下側筐体４の正面４Ａに、また固定部材の係合部４６が下側筐体４の一方の側面４Ｂに、それぞれ当接するように、携帯電話機１に対して付属機器連結機構４０を配置する。
【００４１】
この状態から、リング部材４４を回転させて固定部材４１のネジ部４５Ｆにねじ込んでいくことにより、係合部４６とスライド部材４３の間隔を狭めていき、最終的に、スライド部材４３の係合部４３Ａを、下側筐体４の他方の側面４Ｂに当接させる。これにより、携帯電話機１の下側筐体４は、付属機器連結機構の係合部４６とスライド部材４３によって左右から挟持され、付属機器連結機構４０は下側筐体４に対して取り付けられる。このように、本実施形態の付属機器連結機構４０は、リング部材４４のねじ込み操作を行うだけで、異なる横幅を有する各種携帯電話機に対して、容易に取り付けることができる。
【００４２】
携帯電話機１の下側筐体４に取り付けられた付属機器連結機構４０は、リング部材４４のねじ込みを僅かに緩めることにより、上下方向にスライドさせることができる。また、望遠レンズ５０が取り付けられた機器支持部４２は、固定部材４１に対して左右にスライドさせることができる。したがって、機器支持部４２は、携帯電話機１の筐体に対して上下左右に動かすことができ、機器支持部４２に取り付けられた望遠レンズ５０の位置は、携帯電話機１のデジタルカメラレンズの前方に正しく配置されるように、容易に調整しうる。
【００４３】
なお、上記各実施形態では、基部（係合部１３、固定部材４１及びスライド部材４３）に対する機器支持部１４、４２のスライド方向（第２の方向）と、基部の下側筐体４に対するスライド方向（第１の方向）は、互いに直交しているが、本発明はこのような形態に限られるものではなく、第１と第２の方向は互いに非平行であれば、機器支持部の位置は適切に調整し得る。
【００４４】
また、付属機器連結機構１０、４０は、携帯電話機１の下側筐体４に対して着脱自在となっているが、本発明はこのような形態に限られるものではなく、係合部（基部）が携帯電話機の筐体に対してスライド可能であるならば、付属機器連結機構は、携帯電話機と一体となっていてもよい。
【００４５】
また、上記実施形態では、付属機器（ファイバースコープ装置２０、望遠レンズ装置３０、望遠レンズ５０）は、付属機器連結機構１０、４０に対して着脱自在とされているが、本発明はこのような形態に限られるものではなく、付属機器が付属機器連結機構１０、４０に固定された構成（一体となった構成）をとることもできる。
【図面の簡単な説明】
【００４６】
【図１】本発明の実施形態の付属機器連結機構を携帯電話機に取り付けた状態を示す斜視図である。
【図２】本発明の実施形態の付属機器連結機構を示す斜視図である。
【図３】付属機器の一例であるファイバースコープ装置を示す斜視図である。
【図４】付属機器の一例である望遠レンズ装置を示す斜視図である。
【図５】同じく望遠レンズ装置を示す斜視図である。
【図６】付属機器連結機構を介して望遠レンズ装置を携帯電話機に取り付けた状態を示す斜視図であり、望遠レンズ装置が収納位置にある状態を示す。
【図７】付属機器連結機構を介して望遠レンズ装置を携帯電話機に取り付けた状態を示す斜視図であり、望遠レンズ装置が通常撮影位置にある状態を示す。
【図８】付属機器連結機構を介して望遠レンズ装置を携帯電話機に取り付けた状態を示す斜視図であり、望遠レンズ装置が望遠撮影位置にある状態を示す。
【図９】本発明の他の実施形態の付属機器連結機構を携帯電話機に取り付けた状態を示す斜視図である。
【図１０】同じく付属機器連結機構を携帯電話機に取り付けた状態を示す斜視図である。
【図１１】本発明の他の実施形態の付属機器連結機構を示す斜視図である。
【図１２】同じく付属機器連結機構を示す斜視図である。
【図１３】同じく付属機器連結機構を示す斜視図であり、付属機器連結機構に望遠レンズを取り付けた状態を示す。
【図１４】同じく付属機器連結機構を示す分解斜視図である。
【符号の説明】
【００４７】
１  携帯電話機
２  ヒンジ部
３  上側筐体
４  下側筐体
４Ａ  正面
１０  付属機器連結機構
１１  基部
１２  本体部
１３  係合部
１４  機器支持部
１４Ａ  開口部
１４Ｂ  保持部
２０  ファイバースコープ装置
２１  装着部
３０  望遠レンズ装置
３１  レンズホルダー
３１Ａ  本体部
３１Ｂ  保持部
３２  接眼レンズ部
３２Ａ  接眼レンズ
３３  対物レンズ部
３３Ａ  対物レンズ
３４  取り付け枠部
４０  付属機器連結機構
４１  固定部材
４２  機器支持部
４３  スライド部材
４３Ａ  係合部
４４  リング部材
４５  本体部
４５Ａ  開口部
４６  係合部
５０  望遠レンズ
【図１】
2009086513.tif 000003
【図２】
2009086513.tif 000004
【図３】
2009086513.tif 000005
【図４】
2009086513.tif 000006
【図５】
2009086513.tif 000007
【図６】
2009086513.tif 000008
【図７】
2009086513.tif 000009
【図８】
2009086513.tif 000010
【図９】
2009086513.tif 000011
【図１０】
2009086513.tif 000012
【図１１】
2009086513.tif 000013
【図１２】
2009086513.tif 000014
【図１３】
2009086513.tif 000015
【図１４】
2009086513.tif 000016